(57)【要約】【課題】コンテンツの選択が連続的に切り換えられた場合であっても、適切な音声案内を行い、所望のコンテンツを適切に選択可能とする。【解決手段】抽出部１０１は、操作部１５０の操作によって選択されているコンテンツに関連する情報から、短い文字列から構成される短文および短文より長い文字列から構成される長文を抽出する。音声合成部１０２は、抽出された短文及び長文に基づく音声合成を行う。音声出力制御部１０５は、選択されたコンテンツに対する短文を音声合成部１０２により音声合成して出力させ、短文の音声出力の終了前に次のコンテンツが選択された場合は、短文の音声出力が終了した後に、次のコンテンツに対する短文を音声合成部１０２により音声合成して出力させ、短文の音声出力の終了前に次のコンテンツが選択されなかった場合は、短文の音声出力の終了後に長文を音声合成部１０２により音声合成して出力させる制御を行う。【選択図】図２
2014048305.tif 000002
【特許請求の範囲】
【請求項１】
選択可能なコンテンツの選択を切り換える操作部、
前記操作部の操作によって選択されているコンテンツに関連する情報から、音声合成の対象として、短い文字列から構成される短文および前記短文より長い文字列から構成される長文を抽出する抽出部、
前記抽出部において抽出された前記短文及び前記長文に基づく音声合成を行う音声合成部、
前記操作部によって選択されたコンテンツに対する前記短文を前記音声合成部により音声合成して出力させ、前記短文の音声出力の終了前に前記操作部が操作されて次のコンテンツが選択された場合は、前記短文の音声出力が終了した後に、前記次のコンテンツに対する前記短文を前記音声合成部により音声合成して出力させ、前記短文の音声出力の終了前に次のコンテンツが選択されなかった場合は、前記短文の音声出力の終了後に前記長文を前記音声合成部により音声合成して出力させる制御を行う音声出力制御部、
を備えることを特徴とする、コンテンツ選択装置。
【請求項２】
前記抽出部は、前記コンテンツに関連する情報として、前記コンテンツにおけるタグ情報として記録されている情報を用いるとともに、前記短文として前記タグ情報として記録されている情報の頭文字を抽出し、前記長文として前記タグ情報として記録されている情報を抽出することを特徴とする、
請求項１に記載のコンテンツ選択装置。
【請求項３】
前記音声出力制御部は、前記長文の音声出力中に前記操作部が操作されて次のコンテンツが選択された場合は、前記長文の音声出力を中断させ、選択された次のコンテンツに対する前記短文を前記音声合成部により音声合成して出力させることを特徴とする、
請求項１または２に記載のコンテンツ選択装置。
【請求項４】
前記抽出部によって抽出した前記短文が同一であるか否かを判断する対比部をさらに備え、
前記音声出力制御部は、前記対比部により、音声出力されている前記短文と、選択された前記次のコンテンツの前記短文とが同一であると判断された場合は、前記次のコンテンツの前記短文の音声出力を行わないことを特徴とする、
請求項１から請求項３のいずれか１項に記載のコンテンツ選択装置。
【請求項５】
選択されたコンテンツに関連する情報から、音声合成の対象として、短い文字列から構成される短文および前記短文より長い文字列から構成される長文を抽出するステップ、
前記選択されたコンテンツに対する前記短文を音声合成して出力させるステップ、
前記短文の音声出力の終了前に次のコンテンツが選択された場合は、前記短文の音声出力が終了した後に、前記次のコンテンツに対する前記短文を音声合成して出力させ、前記短文の音声出力の終了前に次のコンテンツが選択されなかった場合は、前記短文の音声出力の終了後に前記長文を音声合成して出力させるステップ、
を備えることを特徴とするコンテンツ音声案内方法。
【請求項６】
コンテンツ選択装置が備えるコンピュータに、
選択されたコンテンツに関連する情報から、音声合成の対象として、短い文字列から構成される短文および前記短文より長い文字列から構成される長文を抽出するステップ、
前記選択されたコンテンツに対する前記短文を音声合成して出力させるステップ、
前記短文の音声出力の終了前に次のコンテンツが選択された場合は、前記短文の音声出力が終了した後に、前記次のコンテンツに対する前記短文を音声合成して出力させ、前記短文の音声出力の終了前に次のコンテンツが選択されなかった場合は、前記短文の音声出力の終了後に前記長文を音声合成して出力させるステップ、
を実行させる特徴とするプログラム。
【発明の詳細な説明】
【技術分野】
【０００１】
本発明は、音声案内により適切なコンテンツ選択を可能とする、コンテンツ選択装置、コンテンツ音声案内方法およびプログラムに関する。
【背景技術】
【０００２】
コンテンツの再生を行う各種装置において、記録容量の増大や、ネットワーク等を介した他の装置からのコンテンツ再生機能等により、再生可能なコンテンツが膨大な数となっている。また、車載装置等においては、音声合成技術を用いてコンテンツを特定する情報を音声出力することにより、表示画面を見ることなく、または見る頻度を減らしたコンテンツの選択操作を行うことができる（特許文献１、特許文献２）。
【先行技術文献】
【特許文献】
【０００３】
【特許文献１】特開平０９−１４６５７９号公報
【特許文献２】特開２００９−２４４８１４号公報
【発明の概要】
【発明が解決しようとする課題】
【０００４】
ユーザによるコンテンツの選択操作は、例えば装置に設けられている回転式つまみの回転や、タッチパネルに設けられたスライドバー表示の操作によって行われる。このため、ユーザは選択対象となるコンテンツの切り換えを、音声合成によるコンテンツの音声案内が終了する前に行うことができる。
【０００５】
このような場合、従来技術においては、選択操作によって次のコンテンツに切り替わっているにも拘らず、切り換え前のコンテンツを案内する音声の出力が継続する場合がある。また、コンテンツを案内する音声の出力が途切れた状態で、選択操作に対応する場合もあった。
【０００６】
本発明はこのような問題点に鑑みなされたものであり、コンテンツの選択が連続的に切り換えられた場合であっても、適切な音声案内を行い、所望のコンテンツを適切に選択可能とする、コンテンツ選択装置、コンテンツ音声案内方法およびプログラムを提供することを目的とする。
【課題を解決するための手段】
【０００７】
上記目的を達成するために、本発明に係るコンテンツ選択装置（１０）は、選択可能なコンテンツの選択を切り換える操作部（１５０）、前記操作部（１５０）の操作によって選択されているコンテンツに関連する情報から、音声合成の対象として、短い文字列から構成される短文および前記短文より長い文字列から構成される長文を抽出する抽出部（１０１）、前記抽出部（１０１）において抽出された前記短文及び前記長文に基づく音声合成を行う音声合成部（１０２）、前記操作部（１５０）によって選択されたコンテンツに対する前記短文を前記音声合成部（１０２）により音声合成して出力させ、前記短文の音声出力の終了前に前記操作部（１５０）が操作されて次のコンテンツが選択された場合は、前記短文の音声出力が終了した後に、前記次のコンテンツに対する前記短文を前記音声合成部（１０２）により音声合成して出力させ、前記短文の音声出力の終了前に次のコンテンツが選択されなかった場合は、前記短文の音声出力の終了後に前記長文を前記音声合成部（１０２）により音声合成して出力させる制御を行う音声出力制御部（１０３）、を備えることを特徴とする。
【発明の効果】
【０００８】
本発明によればコンテンツの選択が連続的に切り換えられた場合であっても、適切な音声案内を行い、所望のコンテンツを適切に選択可能である。
【図面の簡単な説明】
【０００９】
【図１】本発明の実施例におけるコンテンツ選択装置の外観図例である。
【図２】本発明の実施例におけるコンテンツ選択装置の構成ブロック図例である。
【図３】本発明の第１の実施例におけるコンテンツ選択装置の処理例を表すフローチャートである。
【図４】本発明の実施例に用いるコンテンツの例である。
【図５】本発明の実施例に用いるコンテンツから抽出された短文と長文の例である。
【図６】本発明の実施例に用いるコンテンツから抽出された短文と長文の例である。
【図７】本発明の第１の実施例におけるコンテンツ選択切り替え操作と音声出力および再生処理のタイミング例を示す図である。
【図８】本発明の第２の実施例におけるコンテンツ選択装置の処理例を表すフローチャートである。
【図９】本発明の第２の実施例におけるコンテンツ選択切り替え操作と音声出力および再生処理のタイミング例を示す図である。
【発明を実施するための形態】
【００１０】
以下、本発明の実施例におけるコンテンツ選択装置１０について、図１および図２を参照して説明する。
【００１１】
コンテンツ選択装置１０は、複数のコンテンツをユーザの操作によって連続的に選択操作を可能とする装置であって、選択対象のコンテンツに対して音声による案内を行う装置である。具体的には、図１に示すような車載装置である。車載装置以外にも、携帯型音楽再生装置のようなポータブル型の装置や、音声によるコンテンツの案内が可能なリモコンによって操作を行う据置き型の装置であってもよい。
【００１２】
コンテンツ選択装置１０が車載装置である場合、図２に示すように、制御部１００、表示部１３０、記憶部１４０、操作部１５０、入力部１６０、出力部１７０から構成され、外観を構成する要素として、表示部１３０における表示画面１３１、操作部１５０を構成する操作スイッチ１５１、回転操作部１５２およびタッチパネル操作部１５３、入力部１６０を構成するＵＳＢ入力部１６１および音声入力部１６２を備える。また、コンテンツ選択装置１０は、他に図示しない各種必要な構成要素を備えていてもよい。
【００１３】
制御部１００は、コンテンツ選択装置１０を構成する各部の動作制御、各種データの処理等を行う。制御部１００は、例えば、ＣＰＵ（Central Processing Unit）、ＲＡＭ（Random Access Memory）、ＲＯＭ（Read Only Memory）、ＤＳＰ（Digital Signal Processor）等により構成され、ＲＯＭに記憶された各種プログラムをＲＡＭ上で実行することによりコンテンツ選択装置１０の各部の動作制御や各部より入力された信号の処理、各種データやファイルの処理を行う。
【００１４】
制御部１００は、実行されるプログラムによって、各種機能を実現する。例えば、抽出部１０１、音声合成部１０２、音声出力制御部１０３、表示制御部１０５、再生制御部１０６、操作制御部１０７として構成される。
【００１５】
抽出部１０１は、コンテンツに関連する情報から、音声合成の対象となる短文および長文を抽出する。具体例として、コンテンツが音声データであり、コンテンツに関連する情報として、ＩＤ３タグ等のタグ情報である場合および、音声合成による音声案内を楽曲名とした場合、短文として楽曲名の頭文字を抽出し、長文として楽曲名を抽出する。
【００１６】
音声合成部１０２は、音声合成の対象となる文字列に対して、音片データ等を組み合わせることにより、音声データを生成する。
【００１７】
音声出力制御部１０３は、音声合成部１０２において合成した音声の出力を制御する。具体的には、コンテンツが選択されたタイミングに応じて、選択されたコンテンツの短文に基づく合成音声および長文に基づく音声の出力を制御する。また、連続的にコンテンツが選択された場合の合成音声出力要否を制御する。
【００１８】
対比部１０４は、抽出部１０１が抽出した短文または長文を対比し、同一であるか否かを判断する制御を行う。具体的には、音声出力されている短文と選択された次のコンテンツの短文とを対比し、各々の短文が同一であるか否かを判断する。また、音声出力されている長文と選択された次のコンテンツの長文とを対比し、各々の長文が同一であるか否かを判断する。
【００１９】
表示制御部１０５は、表示部１３０に対して各種情報を表示させる処理を行う。具体的には、コンテンツの選択画面や再生画面、コンテンツを特定する情報の表示、各種画像や文字の表示を行うまた、タッチパネル操作部１５３のタッチ位置に対応する操作画面の表示を制御する。
【００２０】
再生制御部１０６は、コンテンツの再生を制御する。具体的には、操作部１５０の操作等によって特定のコンテンツの再生が決定された場合、記憶部１４０等よりコンテンツのデータを読み出し、必要なエンコード処理等を行い、出力部１７０より出力する。コンテンツのデータに映像情報や文字情報が含まれている場合は、それらの情報を表示制御部１０５の制御により表示部１３０に表示させる。
【００２１】
操作制御部１０７は、操作部１５０の操作に基づく操作信号を取得し、所望の操作や処理を実行させる処理を行う。
【００２２】
表示部１３０は、例えば液晶表示素子や有機ＥＬ（Electro Luminescence）表示素子等からなり、表示制御部１０５の制御によって、表示内容や表示形態が制御され、各種情報を表示する。図１における表示画面１３１は、表示部１３０において表示内容を視覚的に認識させる画面を示す。表示部１３０は、上記以外にも必要に応じて、図示しないバックライトや表示素子駆動装置を含む。
【００２３】
記憶部１４０は、例えばＨＤＤ（Hard Disk Drive）やフラッシュメモリより構成され、コンテンツのデータや、コンテンツ選択装置１０に必要な各種データを記憶する。これらのデータは、コンテンツデータについては再生制御部１０６によって読み出しが制御され、画像データについては、表示制御部１０５によって読み出しが制御される。また、記憶部１４０には、音声合成部１０２によって音声合成される音片データが記憶されており、音声合成部１０２の制御によって読み出しが制御される。
【００２４】
記憶部１４０は、コンテンツ選択装置１０に内蔵されるものに限らず、所定のインターフェースによって接続される外部の記憶デバイスであってもよい。外部の記憶デバイスの一例としては、ＵＳＢ（Universal Serial Bus）端子に接続されるＵＳＢメモリや外部ＨＤＤ装置、所定のメモリカードスロットにより接続されるメモリカードなどである。
【００２５】
操作部１５０は、コンテンツ選択装置１０に対してユーザが各種処理や動作指示を行うためのユーザインターフェースであり、操作されることにより、操作に基づく信号が操作制御部１０７に出力され、操作に基づく各部の動作や各種処理が実行される。操作部１５０は、図１に示す例においては、操作スイッチ１５１、回転操作部１５２、タッチパネル操作部１５３から構成される。
【００２６】
操作部１５０における操作スイッチ１５１は、ユーザに押圧または触れられることによって操作信号を出力する。回転操作部１５２は、ユーザにより回転されることにより、回転位置や回転角度または回転速度に応じた操作信号を出力する。タッチパネル操作部１５３は、表示画面１３１に対してユーザに押圧または触れられることによって、操作位置に対応した操作信号を出力する。
【００２７】
操作部１５０は、コンテンツ選択装置１０に備えつけられているものに限らず、別体であってもよい。例えば、別体であるリモコン装置や、別体である操作音声入力装置である。
【００２８】
入力部１６０は、コンテンツ選択装置１０に各種データや信号の入力を行う。図１の例においては、入力部１６０として、ＵＳＢ入力部１６１および音声入力部１６２を備える。ＵＳＢ入力部１６１は、ＵＳＢ端子に接続された外部装置や外部記憶デバイスから各種データを入力する。ＵＳＢ入力部１６１は、出力機能や電源供給機能も備える。音声入力部１６２は、具体的にはステレオピンジャックやマイクロフォンであり、接続された外部装置から各種データを入力する。入力部１６０には、アナログ信号が入力された場合にデジタルデータに変換するＡ／Ｄ（Analog - Digital）コンバータを含んでもよい。また、入力部１６０として、光ディスクドライブ装置がコンテンツ選択装置１０に備えられていてもよい。
【００２９】
入力部１６０における音声入力部１６２がマイクロフォンである場合、操作部１５０は、上記以外にもマイクロフォンから入力される音声によって操作される音声操作部を備えてもよい。この場合、音声入力部１６２としてのマイクロフォンより入力された音声信号が、Ａ／Ｄコンバータによりデジタルデータに変換され、制御部１００における図示しない音声認識部により音声の内容が認識され、認識された内容が操作に関連する内容である場合、該当する操作信号が操作制御部１０７により処理される。
【００３０】
出力部１７０は、コンテンツ選択装置１０から各種データや信号の出力を行う。出力部１７０は、例えば、音声の出力を行うスピーカ１７１や各種データや信号の出力を行う各種端子である。出力部１７０には、出力されるデジタルデータをアナログ信号に変換するＤ／Ａ（Digital-Analog）コンバータや、出力される信号を増幅する増幅装置を含んでもよい。
【００３１】
次に、図３から図６に基づき、コンテンツ選択装置１０における第１の実施形態に関わる処理について説明する。図３に示す処理は、コンテンツ選択装置１０を制御する制御部１００を動作させるプログラムによって処理が実行される。このプログラムは、例えばネットワークや可搬型の記憶媒体によって、コンテンツ選択装置１０として機能する各種装置にインストールされてもよい。
【００３２】
図３に示すフローチャートは、複数のコンテンツが連続的に選択可能な状態において、複数のコンテンツのうち１つのコンテンツが選択されている状態において開始される。先ず、抽出部１０１は、選択されているコンテンツから、音声合成部１０２による音声合成の対象となる短文および長文を抽出する（ステップＳ１０１）。
【００３３】
以下、コンテンツの例として、タグ情報を備える音声コンテンツとして説明する。適用可能なコンテンツとしては、音声コンテンツに限らず、映像コンテンツや書籍コンテンツ、電話番号、メールアドレス等のデータであってもよい。
【００３４】
音声コンテンツが備えるタグ情報には、図４に示すように「楽曲名」「アルバム名」「アーティスト名」「ジャンル名」等、様々なタグ情報が付与されており、タグ情報に基づきコンテンツの順番を並べ替えることもできる。図４は、記憶部１４０に記憶されているコンテンツの一覧であり、各コンテンツのタグ情報の例として、「楽曲名」「アルバム名」「アーティスト名」「ジャンル名」を記載している。
【００３５】
図５は、図４に示すコンテンツの一覧より、アルバム名「ＦＦＦ」に含まれているコンテンツの再生を指示した場合における、選択可能なコンテンツの一覧および各コンテンツより抽出された短文と長文を示した図である。アルバムの選択によるコンテンツの再生は、コンテンツのアルバム収録順に選択可能となるのが一般的である。抽出部１０１によって抽出される短文および長文として、例えば、楽曲名に通番が付与されている場合は、通番に該当する文字列を除外する。
【００３６】
具体的には、アルバム名「ＦＦＦ」の収録コンテンツとして、楽曲名が「01-やいゆえよ」「02-ららららら」「03-ははははは」「04-あかさたな」「05-あいうえお」のように通番が付与されている場合においても、図５に示すような短文と長文が抽出される。
【００３７】
また、図６は、図４に示すコンテンツの一覧を楽曲名で並べ替えた場合における選択可能なコンテンツの一覧および各コンテンツより抽出された短文と長文を示した図である。
【００３８】
ステップＳ１０１において短文および長文が抽出される対象としては、選択可能なコンテンツにおける関連情報としてのタグ情報に基づき決定される。例えば、図５および図６に示すように、アルバム再生や楽曲名順の再生である場合は、楽曲名から抽出される。また、アルバム順の再生である場合は、アルバム名から抽出されてもよく、楽曲名から抽出されてもよい。さらに、アーティスト名順の再生である場合は、アーティスト名から抽出されてもよく、楽曲名から抽出されてもよい。
【００３９】
ステップＳ１０１において抽出される短文は、抽出対象となるタグ情報を構成する文字列の頭文字であることが好ましい。具体的には、楽曲名「やいゆえよ」から抽出される短文はその頭文字である「や」が抽出される。また、アルバム名「ＦＦＦ」から抽出される場合には、その頭文字として「Ｆ」が抽出され、アーティスト名「ＧＧＧ」から抽出される場合には、その頭文字として「Ｇ」が抽出される。
【００４０】
ステップＳ１０１において抽出される短文は、頭文字の１文字に限定されなくともよく、頭文字の２文字であってもよい。この場合、楽曲名「やいゆえよ」から抽出される短文はその頭文字である「やい」が抽出される。また、アルバム名「ＦＦＦ」から抽出される場合には、その頭文字として「ＦＦ」が抽出され、アーティスト名「ＧＧＧ」から抽出される場合には、その頭文字として「ＧＧ」が抽出される。
【００４１】
ステップＳ１０１において抽出される長文は、抽出対象となるタグ情報を構成する文字列の全文であることが好ましい。具体的には、楽曲名「やいゆえよ」から抽出される短文はその全文である「やいゆえよ」が抽出される。また、アルバム名「ＦＦＦ」から抽出される場合には、その全文である「ＦＦＦ」が抽出され、アーティスト名「ＧＧＧ」から抽出される場合には、その全文である「ＧＧＧ」が抽出される。
【００４２】
ステップＳ１０１において抽出される長文は、文字列の全文に限定されなくともよく、所定数の文字列であってもよい。例えば、抽出対象のタグ情報を構成する文字列が１０文字を超えている場合、１０文字を上限にして抽出してもよい。
【００４３】
ステップＳ１０１において短文および長文を抽出した後、音声合成部１０２は抽出した短文に対して音声合成を行うことにより合成音声を生成し、音声出力制御部１０３は、出力部１７０より生成された合成音声の出力を開始させる（ステップＳ１０２）。ステップＳ１０２における出力は、スピーカ部１７１から出力されることが好ましい。
【００４４】
次に、音声出力制御部１０３は、ステップＳ１０２において出力が開始された短文の音声出力が終了したか否かを判断する（ステップＳ１０３）。ステップＳ１０３において、短文の音声出力が終了したと判断された場合（ステップＳ１０３：Ｙｅｓ）、音声合成部１０２は抽出した長文に対して音声合成を行うことにより合成音声を生成し、音声出力制御部１０３は、出力部１７０より生成された合成音声の出力を開始させる（ステップＳ１０４）。ステップＳ１０３において、短文の音声出力が終了していないと判断された場合（ステップＳ１０３：Ｎｏ）、音声出力制御部１０３は操作部１５０が操作されて次のコンテンツが選択されたか否かを判断する（ステップＳ１０９）。
【００４５】
ステップＳ１０９において、次のコンテンツが選択されていないと判断された場合（ステップＳ１０９：Ｎｏ）、再度ステップＳ１０３の判断を行う。ステップＳ１０９において、次のコンテンツが選択されたと判断された場合（ステップＳ１０９：Ｙｅｓ）、抽出部１０１は、選択された次のコンテンツから、音声合成部１０２による音声合成の対象となる短文および長文を抽出する（ステップＳ１１０）。ステップＳ１１０において抽出される短文および長文の条件は、ステップＳ１０１と同一である。
【００４６】
ステップＳ１０２において音声出力が開始された短文の音声出力が終了する前に次のコンテンツを選択する操作部１５０の操作とは、例えば、操作スイッチ１５１を連続的に押圧する操作や、回転操作部１５２を選択されるコンテンツを送る方向に回転させ続けるような操作である。
【００４７】
次に、音声出力制御部１０３は、ステップＳ１０２において出力が開始された短文の音声出力が終了したか否かを判断する（ステップＳ１１１）。ステップＳ１１１において、短文の音声出力が終了していないと判断された場合（ステップＳ１１１：Ｎｏ）、再度ステップＳ１１１の判断を行う。ステップＳ１１１において、短文の音声出力が終了したと判断された場合（ステップＳ１１１：Ｙｅｓ）、音声合成部１０２は、選択された次のコンテンツの短文に対して音声合成を行うことにより合成音声を生成し、音声出力制御部１０３は、出力部１７０より生成された合成音声の出力を開始させる（ステップＳ１０２）。
【００４８】
また、ステップＳ１０４において、選択中のコンテンツの長文における音声出力を開始した後、音声出力制御部１０３は、出力している長文の音声出力が終了したか否かを判断する（ステップＳ１０５）。ステップＳ１０５において、長文の音声出力が終了したと判断された場合（ステップＳ１０５：Ｙｅｓ）、本処理を終了する。ステップＳ１０５において、長文の音声出力が終了していないと判断された場合（ステップＳ１０５：Ｎｏ）、音声出力制御部１０３は操作部１５０が操作されて次のコンテンツが選択されたか否かを判断する（ステップＳ１０６）。
【００４９】
ステップＳ１０６において、次のコンテンツが選択されていないと判断された場合（ステップＳ１０６：Ｎｏ）、再度ステップＳ１０５の判断を行う。ステップＳ１０６において、次のコンテンツが選択されたと判断された場合（ステップＳ１０６：Ｙｅｓ）、音声出力制御部１０３は、音声出力中の長文に対して音声出力を中断させ（ステップＳ１０７）、抽出部１０１は、選択された次のコンテンツから、音声合成部１０２による音声合成の対象となる短文および長文を抽出し（ステップＳ１０８）、音声合成部１０２は、選択された次のコンテンツの短文に対して音声合成を行うことにより合成音声を生成し、音声出力制御部１０３は、出力部１７０より生成された合成音声の出力を開始させる（ステップＳ１０２）。
【００５０】
上述した、第１の実施形態に関わる処理により、ユーザが操作部１５０を操作することにより、コンテンツの選択を素早く連続的に切り換えた場合であっても、各々のコンテンツにおける短文が確実に音声出力される。また、短文の音声出力が終了した時点で次のコンテンツが選択されていない場合は、選択されているコンテンツの長文が音声出力される。このため、ユーザは、選択されているコンテンツを、表示画面１３１を見なくとも確実にコンテンツの選択を行うことができる。
【００５１】
次に、上述した第１の実施形態に関わる処理が、図４に示すコンテンツの一覧より図５に示すアルバム「ＦＦＦ」の再生に対して実行された場合の具体例を、図７を用いて説明する。
【００５２】
図７（Ａ）の例として、先ず、ユーザが操作部１５０を操作してアルバム「ＦＦＦ」を選択すると、アルバム「ＦＦＦ」の１曲目に該当する楽曲名「やいゆえよ」が選択される。ここで抽出部１０１は、楽曲名「やいゆえよ」の楽曲名より短文「や」および長文「やいゆえよ」を抽出し（ステップＳ１０１）、音声合成部１０２は短文「や」に対して音声合成を行い、音声出力制御部１０３は、音声合成された短文「や」の音声出力を開始する（ステップＳ１０２）。
【００５３】
短文「や」の音声出力が終了する前に、ユーザが操作部１５０を操作することにより、次の楽曲である楽曲名「ららららら」が選択されると（ステップＳ１０９：Ｙｅｓ）、抽出部１０１は、楽曲名「ららららら」の楽曲名より短文「ら」および長文「ららららら」を抽出し（ステップＳ１１０）、短文「や」の音声出力が終了後（ステップＳ１１１：Ｙｅｓ）ステップＳ１０２の処理として、音声合成部１０２は短文「ら」に対して音声合成を行い、音声出力制御部１０３は、音声合成された短文「ら」の音声出力を開始する（ステップＳ１０２）。
【００５４】
同様に、短文「は」の音声出力が終了する前に、ユーザが操作部１５０を操作することにより楽曲名「ははははは」が選択されると（ステップＳ１０９：Ｙｅｓ）、短文「ら」の音声出力の終了後に、音声合成された短文「は」の音声出力が開始される（ステップＳ１０２）。
【００５５】
また、短文「は」の音声出力が終了する前に、ユーザの操作が行われずに次の楽曲が選択されなかった場合（ステップＳ１０９：Ｎｏ）、音声合成部１０２は、短文「は」の音声出力の終了後に（ステップＳ１０３：Ｙｅｓ）、長文「ははははは」の音声出力を開始する（ステップＳ１０４）。
【００５６】
図７（Ｂ）の例は、長文「ははははは」の音声出力が開始される処理までは、図７（Ａ）と同一である。長文「ははははは」の音声出力が終了する前に、ユーザが操作部１５０を操作することにより、次の楽曲である楽曲名「あかさたな」が選択された時点で（ステップＳＳ１０５：Ｎｏ、ステップＳ１０６：Ｙｅｓ）、長文「ははははは」の音声出力が中断される（ステップＳ１０７）。
【００５７】
長文「ははははは」の音声出力が中断された後、操作部１５０の選択切り替え操作が連続的に行われることにより、次の楽曲である楽曲名「あかさたな」の短文「あ」が音声出力され、同様に操作部１５０の選択切り替え操作が連続的に行われることにより、次の楽曲である楽曲名「あいうえお」の短文「あ」が音声出力される。
【００５８】
図７（Ｃ）の例は、短文「は」の音声出力が開始される処理までは、図７（Ａ）と同一である。短文「は」の音声出力中に、ユーザが操作部１５０の操作によって再生開始指示を行った場合、再生制御部１０６の処理により、楽曲名「ははははは」の再生が開始される。この場合、短文「は」の音声出力は、中断してもよく、短文「は」の音声出力終了後に再生開始してもよい。
【００５９】
図７（Ｄ）の例は、長文「ははははは」の音声出力が開始される処理までは、図７（Ａ）と同一である。長文「ははははは」の音声出力中に、ユーザが操作部１５０の操作によって再生開始指示を行った場合、再生制御部１０６の処理により、楽曲名「ははははは」の再生が開始される。この場合、再生開始指示が受け付けられた時点で、長文「ははははは」の音声出力は中断することが好ましい。
【００６０】
また、第１の実施形態に関わる処理は、図６に示すように、ユーザが選択可能なコンテンツを楽曲名順に並べ替えた場合においても同様である。このような場合においても、例えば回転操作部１５２を用いて、各々の楽曲における短文の音声出力が終了する前のタイミングで連続的に選択を切り換えた場合、「あ」「あ」「あ」「か」「か」「く」「け」「さ」「は」「や」「ら」と確実に短文が音声出力される。例えば、短文「か」の２回目の音声出力が終了するまでに、次の楽曲が選択されない場合は、短文「か」に引き続き長文「かきくけこ」が音声出力される。
【００６１】
このようなコンテンツの選択切り替え中に、例えば短文「か」の２回目の音声出力中に、ユーザが操作部１５０を操作することにより再生指示を行った場合は、再生制御部１０６は、楽曲名「かきくけこ」の再生を開始する。また、長文「かきくけこ」の音声出力中に、ユーザが操作部１５０を操作することにより再生指示を行った場合も同様に、再生制御部１０６は、楽曲名「かきくけこ」の再生を開始する。
【００６２】
次に、図８に基づき、コンテンツ選択装置１０における第２の実施形態に関わる処理について説明する。第２の実施形態の説明は、図３から図６において説明した第１の実施形態と同一の処理については、説明を省略する。
【００６３】
図８においては、ステップＳ１１０において、選択された次のコンテンツから、音声合成部１０２による音声合成の対象となる短文および長文を抽出した後、対比部１０４は、ステップＳ１０１において選択されたコンテンツの短文と、ステップＳ１０９において選択された次のコンテンツの短文とが同一であるか否かを判断する（ステップＳ１２１）。
【００６４】
ステップＳ１２１において、同一ではないと判断された場合（ステップＳ１２１：Ｎｏ）、ステップＳ１０２において出力が開始された短文の音声出力が終了したか否かを判断する（ステップＳ１１１）。ステップＳ１２１において、同一であると判断された場合（ステップＳ１２１：Ｙｅｓ）、音声出力制御部１０３は、ステップＳ１０９において次のコンテンツが選択されてから所定時間が経過したか否かを判断する（ステップＳ１２２）。この場合の所定時間とは、短文の音声出力を行う時間に該当する時間であることが好ましく、例えば、１．０秒などの固定時間や、ステップＳ１０９において選択されたコンテンツの短文の出力時間に該当する時間などである。
【００６５】
ステップＳ１２２において、所定時間が経過していないと判断された場合（ステップＳ１２２：Ｎｏ）、ステップＳ１０９の処理に推移し、次のコンテンツが選択されたか否かを判断する。この処理により、短文が同一のコンテンツが、短文の音声出力終了前に連続的に選択された場合は、端部が同一である次のコンテンツの短文の音声出力を行わない。ステップＳ１２２において、所定時間が経過したと判断された場合（ステップＳ１２２：Ｙｅｓ）、ステップＳ１０４の処理に推移し、短文の音声出力が行われなかったコンテンツの長文の音声出力を開始する。
【００６６】
また、ステップＳ１０５において音声出力された長文の音声出力終了前に選択された次のコンテンツから抽出された短文（ステップＳ１０８）においても、同様にステップＳ１２１において同一であるか否かを判断する。この場合の前のコンテンツとは、ステップＳ１０５において長文の音声出力が行われたコンテンツの短文である。
【００６７】
上述した、第２の実施形態に関わる処理により、ユーザが操作部１５０を操作することにより、コンテンツの選択を素早く連続的に切り換えた場合に、連続する複数のコンテンツの短文が同一である場合は、後に選択された短文が同一のコンテンツにおける短文が音声出力されない。このため、ユーザは、同一の短文による音声を何度も聴く必要がなく、音声案内によるコンテンツの選択を適切に行うことができる。
【００６８】
次に、上述した第２の実施形態に関わる処理が、図４に示すコンテンツの一覧より図６に示す楽曲名順に並べ替えた楽曲の一覧の再生に対して実行された場合の具体例を、図９を用いて説明する。
【００６９】
図９（Ａ）の例として、先ず、ユーザが操作部１５０を操作して楽曲名順に楽曲を並べ替える操作を行うと、一例として日本語のあいうえお順に並べ替えられ、その１曲目に該当する楽曲名「ああいいうう」が選択される。ここで抽出部１０１は、楽曲名「ああいいうう」の楽曲名より短文「あ」および長文「ああいいうう」を抽出し（ステップＳ１０１）、音声合成部１０２は短文「あ」に対して音声合成を行い、音声出力制御部１０３は、音声合成された短文「あ」の音声出力を開始する（ステップＳ１０２）。
【００７０】
短文「あ」の音声出力が終了する前に、ユーザが操作部１５０を操作することにより、次の楽曲である楽曲名「あいうえお」が選択されると（ステップＳ１０９：Ｙｅｓ）、抽出部１０１は、楽曲名「あいうえお」の楽曲名より短文「あ」および長文「あいうえお」を抽出する（ステップＳ１１０）。次に、対比部１０４は、ステップＳ１０１で選択され音声出力中の短文「あ」と、ステップＳ１０９で選択された短文とが同一であるか否かを判断する（ステップＳ１２１）。この場合、双方の短文は「あ」であり同一であるため、楽曲名「あいうえお」の短文「あ」の音声出力は行われずに、所定時間経過したか否かが判断される（ステップＳ１２２）。
【００７１】
同様に、操作部１５０による選択切り替え操作が連続的に行われている場合は、次の楽曲である楽曲名「あかさたな」についても同様の処理により、短文「あ」の音声出力は行われないが、楽曲名「あかさたな」が選択されてから所定時間経過後まで、次の楽曲の選択が行われない場合、楽曲名「あかさたな」の長文「あかさたな」の音声出力が行われる（ステップＳ１０４）。
【００７２】
図９（Ｂ）の例は、楽曲名「あいうえお」が選択され、短文「あ」の音声出力がされずに、長文「あいうえお」の音声出力が開始される処理までは、図９（Ｂ）と同様である。長文「あいうえお」の音声出力が終了する前に、ユーザが操作部１５０を操作することにより、次の楽曲である楽曲名「あかさたな」が選択された時点で（ステップＳＳ１０５：Ｎｏ、ステップＳ１０６：Ｙｅｓ）、長文「あいうえお」の音声出力が中断される（ステップＳ１０７）。
【００７３】
長文「あいうえお」の音声出力が中断後は、ステップＳ１０６において選択された次の楽曲である楽曲名「あかさたな」の短文「あ」および長文「あかさたな」が抽出され（ステップＳ１０８）、ステップＳ１２１において、短文が同一であるか否かが判断される。この場合、楽曲名「あいうえお」の短文「あ」と、楽曲名「あかさたな」の短文「あ」は同一であり（ステップＳ１２１：Ｙｅｓ）、さらに次の楽曲である楽曲名「かかききくく」が選択されたため（ステップＳ１０９：Ｙｅｓ）、楽曲名「あかさたな」の短文「あ」は音声出力されず、楽曲名「かかききくく」の短文「か」が音声出力される。
【００７４】
図９（Ｃ）の例は、楽曲名「あかさたな」まで連続的に選択され、楽曲名「ああいいうう」の短文「あ」が出力された後、楽曲名「あいうえお」および楽曲名「あかさたな」の短文が同一であるために、音声出力されていない状態までは、図９（Ａ）と同一である。楽曲名「あかさたな」の短文が音声出力されていない、ステップＳ１２２の所定期間中に、ユーザが操作部１５０の操作によって再生開始指示を行った場合、再生制御部１０６の処理により、楽曲名「あかさたな」の再生が開始される。
【００７５】
図９（Ｃ）の例は、楽曲名「あかさたな」の長文「あかさたな」の音声出力が開始される処理までは、図９（Ａ）と同一である。長文「あかさたな」の音声出力中に、ユーザが操作部１５０の操作によって再生開始指示を行った場合、再生制御部１０６の処理により、楽曲名「あかさたな」の再生が開始される。この場合、再生開始指示が受け付けられた時点で、長文「あかさたな」の音声出力は中断することが好ましい。
【００７６】
本発明の実施の形態は、その要旨を逸脱しない限り、様々に変更可能である。例えば、第２の実施形態においては、連続して選択されたコンテンツにおいて、短文が同一である場合、後に選択されたコンテンツの短文の音声出力を行わない処理とした。同様に、先に選択されたコンテンツの長文の音声出力がされた後または長文の音声出力中に選択された次のコンテンツの長文が同一である場合、後に選択されたコンテンツの長文の音声出力を行わない処理としてもよい。
【符号の説明】
【００７７】
１０：コンテンツ選択装置、１００：制御部、１０１：抽出部、１０２：音声合成部、１０３：音声出力制御部、１０４：対比部、１０５：表示制御部、１０６：再生制御部、１０７：操作制御部、１３０：表示部、１４０：記憶部、１５０：操作部、１６０：入力部、１７０：出力部
【図１】
2014048305.tif 000003
【図２】
2014048305.tif 000004
【図３】
2014048305.tif 000005
【図４】
2014048305.tif 000006
【図５】
2014048305.tif 000007
【図６】
2014048305.tif 000008
【図７】
2014048305.tif 000009
【図８】
2014048305.tif 000010
【図９】
2014048305.tif 000011